(57)【特許請求の範囲】
【請求項１】
上面外周縁部に枠部を一体に設け、前記枠部の内側面隅部に共通固定接点を設けるとともに、前記共通固定接点に対向する内側面に固定接点を設けたベースと、
蛇腹状バネ部の両端から前記蛇腹状バネ部に略平行になるようにそれぞれ延在した弾性腕部のうち、一方の弾性腕部の自由端部を摺動可動接点とする一方、他方の弾性腕部の自由端部を回動可動接点とし、前記回動可動接点を前記ベースの共通固定接点に接触するように位置決めしたバネ部材と、
前記バネ部材の一方の弾性腕部に当接する操作用リブを備え、かつ、前記ベースに回動可能に支持した操作レバーと、からなり、
前記操作レバーを回動し、前記操作用リブでバネ部材の一方の弾性腕部を押し下げることにより、前記バネ部材の蛇腹状バネ部を伸張方向に弾性変形させて前記摺動可動接点を前記固定接点に接離することを特徴とするスイッチ。
【請求項２】
上面外周縁部に枠部を一体に設け、前記枠部の内側面隅部に共通固定接点を設けるとともに、前記共通固定接点に対向する内側面に固定接点を設けたベースと、
蛇腹状バネ部の両端から前記蛇腹状バネ部に交差する方向にそれぞれ延在した弾性腕部のうち、一方の弾性腕部の自由端部を摺動可動接点とする一方、他方の弾性腕部の自由端部を回動可動接点とし、前記回動可動接点を前記ベースの共通固定接点に接触するように位置決めしたバネ部材と、
前記バネ部材の一方の弾性腕部に当接する操作用リブを備え、かつ、前記ベースに回動可能に支持した操作レバーと、からなり、
前記操作レバーを回動し、前記操作用リブでバネ部材の一方の弾性腕部を押し下げることにより、前記バネ部材の蛇腹状バネ部を弾性変形させて前記摺動可動接点を前記固定接点に接離することを特徴とするスイッチ
【請求項３】
蛇腹状バネ部の湾曲部の内側に補強用リブを一体成形したことを特徴とする請求項１または２に記載のスイッチ。
【請求項４】
蛇腹状バネ部の湾曲部を厚肉にしたことを特徴とする請求項１ないし３のいずれか１項に記載のスイッチ。
【発明の詳細な説明】
【技術分野】
【０００１】
本発明はスイッチ、特に、携帯電話、スマートフォン、デジタルカメラ等の電子機器に使用される超小型の薄型スイッチに関する。
【背景技術】
【０００２】
従来、スイッチとしては、例えば、ベースと、コイルバネからなり、かつ、一端部を前記ベースに回動可能に支持される可動接触片と、一端部を前記ベースに回動可能に支持されるとともに、前記一端部から延在した駆動部で前記可動接触片のコイル部を押圧する操作レバーと、前記ベースを被覆可能な平面形状を有し、かつ、前記コイル部を圧縮するように前記ベースに固定されるカバーと、からなり、前記操作レバーで前記可動接触片のコイル部を押圧して捩りモーメントを付与することにより、前記可動接触片がその一端部を支点として回動し、前記可動接触片のコイル部が前記ベースの底面に突設した突条の表面から露出する少なくとも１つの固定接点上を摺動するとともに、前記可動接触片の他端部が前記ベースの内側面から露出する共通固定接点上を摺動するものが知られている（特許文献１参照）。
【先行技術文献】
【特許文献】
【０００３】
【特許文献１】特許第４０６２３１９号公報
【発明の概要】
【発明が解決しようとする課題】
【０００４】
しかしながら、前述のスイッチでは、コイルバネのバネ力を利用して接点圧を確保しているので、高さ寸法の低減に限界があった。また、プレス加工で複雑な形状を有する寸法精度の高いバネ部材を大量生産することは容易でなく、所望のストローク，接点圧を備えた小型のスイッチが得にくかった。
本発明は、所望のストローク，接点圧を確保しつつ、高さ寸法の低い超薄型スイッチを提供することを課題とする。
【課題を解決するための手段】
【０００５】
本発明に係るスイッチは、前記課題を解決すべく、上面外周縁部に枠部を一体に設け、前記枠部の内側面隅部に共通固定接点を設けるとともに、前記共通固定接点に対向する内側面に固定接点を設けたベースと、
蛇腹状バネ部の両端から前記蛇腹状バネ部に略平行になるようにそれぞれ延在した弾性腕部のうち、一方の弾性腕部の自由端部を摺動可動接点とする一方、他方の弾性腕部の自由端部を回動可動接点とし、前記回動可動接点を前記ベースの共通固定接点に接触するように位置決めしたバネ部材と、
前記バネ部材の一方の弾性腕部に当接する操作用リブを備え、かつ、前記ベースに回動可能に支持した操作レバーと、からなり、
前記操作レバーを回動し、前記操作用リブでバネ部材の一方の弾性腕部を押し下げることにより、前記バネ部材の蛇腹状バネ部を伸張方向に弾性変形させて前記摺動可動接点を前記固定接点に接離する構成としてある。
【発明の効果】
【０００６】
本発明によれば、従来例のようにコイルバネを使用する必要がないので、高さ寸法の低い薄型のスイッチが得られる。
また、バネ部材が蛇腹状バネ部とその両端からそれぞれ延在する弾性腕部とで形成されているので、所望のストロークおよび接点圧を備えたスイッチが得られる。
【０００７】
本発明に係る他のスイッチは、上面外周縁部に枠部を一体に設け、前記枠部の内側面隅部に共通固定接点を設けるとともに、前記共通固定接点に対向する内側面に固定接点を設けたベースと、
蛇腹状バネ部の両端から前記蛇腹状バネ部に交差する方向にそれぞれ延在した弾性腕部のうち、一方の弾性腕部の自由端部を摺動可動接点とする一方、他方の弾性腕部の自由端部を回動可動接点とし、前記回動可動接点を前記ベースの共通固定接点に接触するように位置決めしたバネ部材と、
前記バネ部材の一方の弾性腕部に当接する操作用リブを備え、かつ、前記ベースに回動可能に支持した操作レバーと、からなり、
前記操作レバーを回動し、前記操作用リブでバネ部材の一方の弾性腕部を押し下げることにより、前記バネ部材の蛇腹状バネ部を弾性変形させて前記摺動可動接点を前記固定接点に接離する構成としてもよい。
【０００８】
本発明によれば、従来例のようにコイルバネを使用する必要がないので、高さ寸法の低い薄型のスイッチが得られる。
また、バネ部材が蛇腹状バネ部とその両端からそれぞれ延在する弾性腕部とで形成されているので、所望のストロークおよび接点圧を備えたスイッチが得られる。
特に、蛇腹状バネ部材が弾性変形しやすいので、操作感触の柔らかいスイッチが得られる。
【０００９】
本発明の別の実施形態としては、蛇腹状バネ部の湾曲部の内側に補強用リブを一体成形しておいてもよい。
本実施形態によれば、蛇腹状バネ部の湾曲部における応力集中を抑制でき、疲労破壊が生じにくくなるので、寿命の長いスイッチが得られる。
【００１０】
本発明の異なる実施形態としては、蛇腹状バネ部の湾曲部を厚肉にしておいてもよい。
本実施形態によれば、蛇腹状バネ部の湾曲部における応力集中を抑制でき、疲労破壊が生じにくくなるので、寿命の長いスイッチが得られるという効果がある。
【図面の簡単な説明】
【００１１】
【図１】図Ａ，図Ｂは本発明に係るスイッチの第１実施形態を示す斜視図、側面図である。
【図２】図１で示したスイッチの分解斜視図である。
【図３】図１で示したスイッチの異なる角度から視た分解斜視図である。
【図４】図Ａ，図Ｂは図１で示したスイッチの動作前後を示す正面図である。
【図５】図Ａ，図Ｂは本発明に係るスイッチの第２実施形態を示す動作前後の正面図である。
【図６】図Ａ，図Ｂは本発明に係るスイッチの第３実施形態を示す動作前の斜視図、正面図である。
【発明を実施するための形態】
【００１２】
本発明に係るスイッチの実施形態を図１ないし図６の添付図面に従って説明する。
第１実施形態に係るスイッチは、図１ないし図４に示すように、ベース１０と、バネ部材２０と、操作レバー３０と、カバー４０とで構成されている。なお、説明の便宜上、図１および図４において前記カバー４０は図示されていない。
【００１３】
前記ベース１０は、図２に示すように、略方形表面の外周縁部に略コ字形状の枠部１１を一体成形したものであり、前記枠部１１の内側面の隅部に共通固定接点１２を設ける一方、前記共通固定接点１２の斜め前方に位置する前記枠部１１の内側面に固定接点１３を設けてある。また、枠部１１を設けていない外周縁部には、ガイド用突起１４を突設してあるとともに、前記ガイド用突起１４を間にして回動軸部１５，位置規制用突部１６を突設してある。さらに、前記ベース１０は、前記枠部１１の外側面の中央部に位置決め用切り欠き部１７を設ける一方、その底面の外周縁部に沿って係合用凹部１８を設けてある。
【００１４】
バネ部材２０は、電気鋳造法によって製造され、導電性を有するものであり、蛇腹状バネ部２１の両端から弾性腕部２２，２３を延在するとともに、その先端部を回動可動接点２４および摺動可動接点２５としてある。特に、前記蛇腹状バネ部２１は弾性腕部２２，２３と略平行になるように形成されている。そして、前記ベース１０の枠部１１内に収納することにより、自由状態では回動可動接点２４が共通固定接点１２に接触する一方、摺動可動接点２５が枠部１１の内側面に摺接するように配置される（図４）。
【００１５】
操作レバー３０は、延在した操作用リブ３１の一端に前記回動軸部１５に嵌合する軸孔３２を設けてあるとともに、その中間領域に前記ガイド用突起１４に嵌合するガイド用溝部３３を設けてある。そして、前記操作レバー３０の軸孔３２を前記ベース１０の回動軸部１５に嵌合するとともに、ガイド用溝部３３を前記ベース１０のガイド用突起１４に嵌合することにより、回動可能に支持される。
【００１６】
カバー４０は、図３に示すように、前記ベース１０の表面を被覆可能な平面形状を有し、前記ベース１０の切り欠き部１７に嵌合する位置に折り曲げ部４１を設けてあるとともに、前記ベース１０の係合用凹部１８に係合可能な位置に係合用爪部４２を設けてある。そして、前記バネ部材２０および操作レバー３０を組み付けたベース１０に前記カバー４０を位置決めして被覆する。そして、前記ベース１０の切り欠き部１７および係合用凹部１８に、前記カバー４０の折り曲げ部４１および係合爪部４２をそれぞれ係合することにより、前記バネ部材２０および操作レバー３０が抜け止めされる。
【００１７】
次に、前述の構成部材からなるスイッチの操作方法について説明する。
図４Ａに示すように、操作前では、操作レバー３０の操作用リブ３１がバネ部材２０の弾性腕部２３に当接しているだけである。また、バネ部材２０の回動可動接点２４は共通固定接点１２に接触している一方、摺動可動接点２５は枠部１１の内側面に当接しているだけであり、固定接点１３に接触していない。
【００１８】
そして、操作レバー３０の自由端部を押し下げると、回動軸部１５を支点として操作用リブ３１が回動し、バネ部材２０の弾性腕部２３を押し下げる。このため、弾性腕部２３、弾性腕部２２が圧縮されて弾性変形するとともに、蛇腹状バネ部２１が伸張方向に弾性変形する。さらに、摺動可動接点２５が下降して固定接点１３に接触することにより、共通固定接点１２と固定接点１３とがバネ部材２０を介して電気接続される。
【００１９】
ついで、前記操作レバー３０に対する押圧力を解除すると、バネ部材２０自身のバネ力によって操作レバー３０の操作用リブ３１が押し上げられる。このため、操作レバー３０は回動軸部１５を支点として逆回転し、元の位置に復帰するとともに、摺動可動接点２５が固定接点１３から開離する。
【００２０】
本発明の第２実施形態は、図５に示すように、前述の第１実施形態とほぼ同様であり、異なる点はバネ部材２０の蛇腹状バネ部２１が弾性腕部２２，２３と交差するように形成した点である。他は前述の第１実施形態とほぼ同様であるので、同一部分には同一番号を附して説明を省略する。
本実施形態に係るスイッチは、蛇腹状バネ２１部がより一層、弾性変形しやすくなるので、操作感触の柔らかいスイッチが得られるという利点がある。
【００２１】
本発明の第３実施形態は、図６に示すように、前述の第１実施形態とほぼ同様であり、異なる点は蛇腹状バネ部２１の湾曲部の内側に補強用リブ２６を一体成形した点である。
本実施形態によれば、応力集中が生じやすい蛇腹状バネ部２１の湾曲部に補強用リブ２６を設けてあるので、応力集中による疲労破壊を抑制でき、寿命の長いスイッチが得られるという利点がある。
【００２２】
なお、湾曲部に応力集中が生じないようにするためには、蛇腹状バネ部２１の湾曲部だけを厚肉にしてもよいことは勿論である。
【産業上の利用可能性】
【００２３】
本発明に係るスイッチは、携帯電話等の電子機器に適用するだけでなく、他の小型の電子機器に適用できることは勿論である。
【符号の説明】
【００２４】
１０：ベース
１１：枠部
１２：共通固定接点
１３：固定接点
１４：ガイド用突起
１５：回動軸部
１６：位置規制用突部
２０：バネ部材
２１：蛇腹状バネ部
２２，２３：弾性腕部
２４：回動可動接点
２５：摺動可動接点
３０：操作レバー
３１：操作用リブ
３２：軸孔
３３：ガイド用溝部
４０：カバー
【要約】      （修正有）【課題】所望のストローク，接点圧を確保しつつ、超薄型スイッチを提供する。【解決手段】上面外周縁部に枠部１１を一体に設け、前記枠部１１の内側面隅部に共通固定接点１２を設けるとともに、前記共通固定接点１２に対向する内側面に固定接点１３を設けたベース１０と、蛇腹状バネ部２１の両端からそれぞれ延在した弾性腕部２２，２３のうち、一方の弾性腕部２３の自由端部を摺動可動接点２５とする一方、他方の弾性腕部２２の自由端部を回動可動接点２４とし、前記回動可動接点２４を前記ベース１０の共通固定接点１２に接触するように位置決めしたバネ部材２０と、前記バネ部材２０の弾性腕部２３に当接する操作用リブ３１を備え、かつ、前記ベース１０に回動可能に支持した操作レバー３０と、で構成した。【選択図】図４【図１】
0005152380.tif 000002
【図２】
0005152380.tif 000003
【図３】
0005152380.tif 000004
【図４】
0005152380.tif 000005
【図５】
0005152380.tif 000006
【図６】
0005152380.tif 000007